(57)【要約】【課題】遊技扉や前枠の開放時に、遊技盤や、球タンクから遊技球が遊技場の床面に落下することを防止する。【解決手段】遊技扉１０と遊技開口５下部、又は前枠６と外枠２の間を遮蔽する、落球捕獲シート５０ａを配設し、遊技盤８面や球タンク２１から落下する遊技球を、該落球捕獲シート５０ａで受け止めるようにした。【選択図】　図５
2004135979.tif 000002
【特許請求の範囲】
【請求項１】
遊技島に固定される矩形の外枠と、該外枠の開口に開閉可能に配設される前枠と、該前枠の中央上部の遊技開口に固定される遊技盤と、該遊技盤前面を覆うように前枠に開閉可能に枢支される遊技扉とを備えたパチンコ遊技機において、
一側縁を遊技扉の下部に、他側縁を、連結端縁となる前枠の遊技開口の下縁に連結することにより、遊技扉の開放時に、遊技扉と前枠との間を下方で遮蔽する、遊技扉の開閉方向に伸縮可能な落球捕獲シートを備えることを特徴とするパチンコ遊技機。
【請求項２】
遊技島に固定される矩形の外枠と、該外枠の開口に開閉可能に配設される前枠と、該前枠の中央上部の遊技開口に固定される遊技盤と、該遊技盤前面を覆うように前枠に開閉可能に枢支される遊技扉とを備えたパチンコ遊技機において、
一側縁を前枠下部に、他側縁を、連結端縁となる外枠下部に連結することにより、前枠の開放時に、外枠と前枠との間を下方で遮蔽する、前枠の開閉方向に伸縮可能な落球捕獲シートを備えることを特徴とするパチンコ遊技機。
【請求項３】
前記落球捕獲シートを、伸縮方向に折畳み可能な蛇腹状とすると共に、該落球捕獲シートが折畳み状態で収納可能な長尺状収納部材を、連結端縁に、幅方向へ差し渡して配設し、該落球捕獲シートの一側縁を長尺状収納部材内に固定するようにした請求項１又は請求項２に記載のパチンコ遊技機。
【請求項４】
付勢手段により回転方向に付勢される遊転ロールを備えた巻取部材を、連結端縁に、幅方向へ差し渡して配設すると共に、落球捕獲シートの一側縁を遊転ロールの外周面に固定した請求項１又は請求項２に記載のパチンコ遊技機。
【請求項５】
落球捕獲シートの一側縁に、遊技扉の下部、又は前枠下部と、脱着可能に係合するフック片を設けたことを特徴とする請求項１乃至請求項４のいずれかに記載のパチンコ遊技機。
【請求項６】
落球捕獲シートを柔軟性シートで構成したことを特徴とする請求項１乃至請求項５のいずれかに記載のパチンコ遊技機。
【発明の詳細な説明】
【０００１】
【発明の属する技術分野】
本発明は、外枠の開口に開閉可能に配設される前枠と、該前枠の遊技開口に開閉可能に配設される遊技扉とを備えたパチンコ遊技機に関するものである。
【０００２】
【従来の技術】
パチンコ遊技機は、一般的に、遊技島に固定される矩形の外枠と、該外枠の開口前面に配設される前枠とを備える。前枠には、その中央上部に略方形状の遊技開口が形成されており、該遊技開口全体を後方から塞ぐように合板製の遊技盤が取り付けられている。そして、遊技盤前方には、方形状の透明板を枠部で囲んだ遊技扉が、遊技盤を透視可能に遮蔽している。
【０００３】
また、前記前枠の背面には、遊技球の払出作動に係る機構板や、所要電子回路を組み込まれた基板等が配設される。該機構板は、上部に備える球タンク内に、遊技島から供給される遊技球を貯留し、該遊技球を側部に備える球払出装置を介して、前枠下部前面に設けられた上皿又は下皿へ遊技球を払出すようになっている。
【０００４】
ここで、上記のパチンコ遊技機においては、遊技盤面や機構板、基板等の調整や修理等を行うために、遊技扉や前枠が、夫々遊技者側に開放可能に配設されている（例えば特許文献１参照。）。
【０００５】
【特許文献１】
特開２００１−２４６１０７号公報
【０００６】
【発明が解決しようとする課題】
ところで、上述のパチンコ遊技機にあっては、遊技中に遊技釘や入賞装置等の遊技部材間に遊技球が引掛かったり、また、球タンクの出口付近に遊技球が詰まり、遊技球が、上皿や下皿へ供給されなくなる等の異常事態が発生し、遊技が中止、中断されてしまうことがある。こうした場合には、遊技場の係員が、遊技扉や前枠を、遊技者側に開放して、異常の原因となった遊技球の除去などの復旧作業を行うこととなる。
【０００７】
このような復旧作業においては、遊技盤面上に引掛かった遊技球を除去する際に、除去した遊技球が、遊技盤面から跳び出して遊技扉と前枠の間から落ちたり、また、前枠開放時の衝撃や振動によって、球タンクから零れた遊技球が、前枠と外枠との間隙から落下している。こうした遊技球は、遊技場の床面に飛散することとなり、遊技場の美観を損ねると共に、その回収作業に手間を割かなければならないという問題が生じている。
【０００８】
本発明はかかる問題の解決を試みたものであり、遊技扉や前枠の開放時に、遊技場床面に落下する遊技球を低減することを目的とする。
【０００９】
【課題を解決するための手段】
本発明は、遊技島に固定される矩形の外枠と、該外枠の開口に開閉可能に配設される前枠と、該前枠の中央上部の遊技開口に固定される遊技盤と、該遊技盤前面を覆うように前枠に開閉可能に枢支される遊技扉とを備えたパチンコ遊技機において、一側縁を遊技扉の下部に、他側縁を、連結端縁となる前枠の遊技開口の下縁に連結することにより、遊技扉の開放時に、遊技扉と前枠との間を下方で遮蔽する、遊技扉の開閉方向に伸縮可能な落球捕獲シートを備えることを特徴とするパチンコ遊技機（請求項１）である。
【００１０】
かかる構成にあっては、遊技扉の開放時に、前枠と遊技扉との間に生じる間隙が、落球捕獲シートにより下方で遮蔽され、このため、遊技盤面から跳び出した遊技球が、該落球捕獲シート上で捕捉されることとなる。
【００１１】
ここで、該落球捕獲シートは、遊技扉の開閉方向に対して、折畳可能や巻取可能とすることにより、遊技扉の開放角度に併せて伸縮し、遊技扉と前枠との間隙を下方で、不必要に弛むこと無く遮蔽することができる。また、遊技扉と、遊技開口の間は、下方で完全に遮蔽されることが望ましいが、部分的な遮蔽でも、幾分の効果を得ることが可能である。なお、こうした落球捕獲シートは、落下する遊技球を捕捉できればよく、目の細かいネット状のものや、複数のシートを継ぎ合わせたものを用いてもよい。
【００１２】
また、一側縁を前枠下部に、他側縁を、連結端縁となる外枠下部に連結することにより、前枠の開放時に、外枠と前枠との間を下方で遮蔽する、前枠の開閉方向に伸縮可能な落球捕獲シートを備えることが提案される（請求項２）。かかる構成では、落球捕獲シートは、上述した遊技扉と前枠と間に設けるものと同質、同形状のものを用いるものであり、これにより、前枠の開放時に、前枠と、外枠との間に生じる間隙が、落球捕獲シートにより遮蔽されるため、球タンク上部から落下する遊技球が、該落球捕獲シート上で捕捉されることとなる。
【００１３】
ここで、落球捕獲シートを、伸縮方向に折畳み可能な蛇腹状とすると共に、該落球捕獲シートが折畳み状態で収納可能な長尺状収納部材を、連結端縁に、幅方向へ差し渡して配設し、該落球捕獲シートの一側縁を長尺状収納部材内に固定するようにした構成が提案される（請求項３）。かかる構成では、落下捕球シートが、長尺状収納部材を介して、連結端縁と連結し、遊技扉の閉鎖時や、落球捕獲シートが不必要な時には、該落球捕獲シートを、折畳み、一纏めにして、長尺状収納部材内に収容可能となる。
【００１４】
また、付勢手段により回転方向に付勢される遊転ロールを備えた巻取部材を、連結端縁に、幅方向へ差し渡して配設すると共に、該落球捕獲シートの一側縁を遊転ロールの外周面に固定した構成も考えられる（請求項４）。かかる構成にあっては、遊転ロールの周りに、落球捕獲シートを巻き付けておき、必要に応じて前記付勢手段に抗して引伸ばした落球捕獲シートを、該付勢手段により、自動的に遊転ロールに巻取り可能となる。
【００１５】
ここで、落球捕獲シートの一側縁に、遊技扉の下部、又は前枠下部と、脱着可能に係合するフック片を設けた構成が提案される（請求項５）。かかる構成にあっては、遊技扉と前枠間を下方で遮蔽する落球捕獲シートにおいては、その一側縁に備えるフック片を遊技扉下部に引掛けることにより、該遊技扉と連結させるものであり、また、前枠と外枠との間隙を下方で遮蔽する落球捕獲シートにおいては、その一側縁に備えるフック片を、前枠下部に引掛けることにより、該前枠と連結させるであり、このようなフック片を介した連結機構を用いることで、落球捕獲シートが、遊技扉や前枠に対して、容易に脱着可能となる。
【００１６】
さらに、落球捕獲シートを柔軟性シートで構成した場合には（請求項６）、遊技盤面や球タンク等から、落球捕獲シート上へ遊技球が落下した際に、落球捕獲シートにより、該遊技球の落下衝撃が吸収され、遊技球はシート上で確実に捕捉されることとなる。また、かかる柔軟性シートとしては、布製やゴム製のものが好適に用いられる。
【００１７】
【発明の実施の形態】
まず、本発明を適用するパチンコ遊技機１の基本構成について説明する。
パチンコ遊技機１は、図１に示すように、遊技島（図示省略）に固定される正面視長方形状の外枠２と、該外枠２の開口部分に、開閉可能に配設される前枠６とを備える。該外枠２は、四本の長尺板片からなり、開口の外縁を形成する枠部３と、開口の下部を前面で遮蔽する幕部１４とで構成され、枠部３の左側部に設けられたヒンジ部材４を介して、前記前枠６を片開き可能に枢支している。
【００１８】
一方、前枠６は、中央上部に、略正方形状の遊技開口５が形成された方形状の樹脂製板からなり、該遊技開口５の下方前面には、前面に上皿１１’を備える上皿パネル１１が回動可能に配設され、さらに、上皿パネル１１の下方には、遊技球を貯留する下皿１２と、この下皿１２の右側に突出する発射ハンドル１３とが備えられている。
【００１９】
前記遊技開口５には、合板製の遊技盤８が、遊技開口５全体を後方から塞ぐように配設され、また、該遊技盤８の前方には、遊技盤８前面を透視可能遮蔽する遊技扉１０が配設される。この遊技扉１０は、図２に示すように、略方形状の枠部１５に、ガラス板９を具備してなり、該枠部１５の左側部を遊技開口５左側縁に枢支されることにより、開閉可能となっている。
【００２０】
また、遊技盤８前面には、図３に示すように、長尺な金属レール１６を、湾曲して取り付けることにより、遊技領域７と案内通路１７が区画形成されており、遊技盤８の右下方に配設される発射装置（図示省略）から発射された遊技球を、案内通路１７を介して、遊技領域７左上部へ放出するようになっている。そして、該遊技領域７には、遊技釘１８等の各種遊技部材が配設されており、遊技領域７へ放出された遊技球は、該遊技部材間を転動流下し、遊技盤８に形成されるアウト口２０や入賞口１９に流入し、遊技盤８裏へ排出される。
【００２１】
さらに、図４に示すように、前枠６の背面には、球タンク２１を上部に備える機構板２２や、所要電子回路の組み込まれた種々の基板２３等が取り付けられている。前記機構板２２は、遊技島より供給される遊技球を内部に貯留する球タンク２１と、球タンク２１底面の球排出口２５と前記上皿１１’及び下皿１２とを連通する球通路２６と、該球通路２６の半ばに配設され、球通路２６内の遊技球通過を制御する球払出装置２７とを備える。そして、該球払出装置２７が払出駆動することにより、球タンク２１内の遊技球を、球通路２６を介して、上皿１１’や下皿１２へ払出すようになっている。
【００２２】
次に本発明の第一実施形態について説明する。
本実施形態では、図５に示すように、遊技扉１０と前枠６との間に、蛇腹状の落球捕獲シート５０ａを設けると共に、遊技開口５の下縁に設けられた長尺状収納部材５１ａ内に、折畳んだ落球捕獲シート５０ａを一纏めにして収納可能としたものである。
【００２３】
かかる落球捕獲シート５０ａは、図５〜図７に示すように、扇形状の樹脂製シートからなり、その半径方向に沿って、複数の襞を均等に形成することにより、弧の方向に折畳み可能な蛇腹形状となっている。また、該落球捕獲シート５０ａの一側縁は、上皿パネル１１上部の長尺状収納部材５１ａに固着され、他側辺には遊技扉１０の枠部１５の下辺と係合するフック片５２ａが固着されており、必要に応じて、該フック片５２ａを介して、遊技扉１０と連結することにより、遊技扉１０と前枠６との間隙を遮蔽可能となっている。
【００２４】
前記長尺状収納部材５１ａは、図５〜図７に示すように、長尺な直方体形状をした樹脂製の箱枠からなり、その開口面を前方に向けた状態で、上皿パネル１１の上端に固着される。そして、その内側面には、落球捕獲シート５０ａの一側縁が固着されており、図６ロに示すように、折畳んだ落球捕獲シート５０ａを、一纏めにして内部に収容可能となっている。
【００２５】
また、フック片５２ａは、長尺辺に断面Ｌ字上の係合突部５３ａ，５３ａを具備する金属細板よりなり、落球捕獲シート５０ａの一側縁に、該係合突部５３ａ，５３ａを突出させるように固着される。そして、図５、図７に示すように、係合突部５３ａ，５３ａを、遊技扉１０の枠部１５の下辺に形成される二箇所の係合穴５４，５４に嵌入させることにより、落球捕獲シート５０ａが、遊技扉１０と連結するようになっている。
【００２６】
かかる構成にあっては、遊技盤８面上に引掛った遊技球を除去する際に、落球捕獲シート５０ａを、遊技扉１０の開放角度に合わせて引き伸ばし、遊技扉１０と、前枠６との間を下方で遮蔽すれば、遊技盤８面から跳び出した遊技球が、該落球捕獲シート５０ａに受け止められるため、該遊技球が遊技場の床面に落下するのを防止できる。また、遊技扉１０の閉鎖時や、遊技扉１０と前枠６間に係員等が入って作業する必要がある場合等には、落球捕獲シート５０ａを遊技扉１０下部から外し、折畳んで収縮させた状態で長尺状収納部材５１ａ内に収容可能となる。
【００２７】
なお、落球捕獲シート５０ａは、通常は長尺状収納部材５１ａに収容しておいて、必要な時に、遊技扉１０と連結し、遊技扉１０と前枠６との間を下方で遮蔽すればよいが、遊技扉１０と連結したまま遊技扉１０を閉鎖しておき、該遊技扉１０の開放と連動して落球捕獲シート５０ａが広がり、遊技扉１０と前枠６との間を下方で遮蔽することも可能である。また、かかる落球捕獲シート５０ａにおいては、捕捉した遊技球が、襞に沿って外方へ転動し、弧を形成する外縁部から落下するのを防止するように、襞の外縁下部を上方に折り曲げておき、球止めを形成しておくとよい。
【００２８】
図８〜図１１は第二実施形態を示し、この実施形態は、遊技扉１０と前枠６間に、柔軟性シートからなる落球捕獲シート５０ｂを配設すると共に、遊技開口５下縁に配設する巻取部材６１により、該落球捕獲シート５０ｂを巻取らせて、収縮状態で保持可能としたものである。
【００２９】
前記落球捕獲シート５０ｂは、図８、図９に示すように、布やゴム等からなるの扇形の柔軟性シートよりなり、その一側縁は、上皿パネル１１上部の巻取部材６１に固着され、他側辺には遊技扉１０の枠部１５の下辺と係合するフック片５２ｂが固着されている。そして、該落球捕獲シート５０ｂは、必要に応じて、該係合突部５３ｂにより、遊技扉１０と連結することにより、遊技扉１０と前枠６との間隙を遮蔽可能となっている。なお、フック片５２ｂの形状や、遊技扉１０との係合機構は第一実施形態と同様であり、詳細な説明は省略する。
【００３０】
上述の巻取部材６１は、図９〜図１１に示すように、上皿パネル１１の上端両側に固定される支持部６４，６４と、両支持部６４に両端を保持される、先細の遊転ロール６３とからなり、図９ロに示すように、該遊転ロール６３の外周に、落球捕獲シート５０ｂを巻取り可能となっている。遊転ロール６３は、図１０に示すように、両端を、支持部６４に形成される円形穴６６，６６に夫々軸支されることにより、回転可能となっており、また、その外周面に、前記落球捕獲シート５０ｂの一側端が固着される。そして、両支持部６４は、遊転ロール６３の筒内を貫通し、円形穴６６の底面に固着される金属製の支軸６２により連結されており、遊転ロール６３の筒内両側には、該遊転ロール６３を回転付勢する付勢手段として、ねじりコイルバネ６５，６５が設けられている。該ねじりコイルバネ６５は、一端を支軸６２に、他端を遊転ロール６３の内周面に固定されており、その弾性力により、落球捕獲シート５０ｂを巻取る方向に遊転ロール６３を回転付勢している。
【００３１】
かかる構成では、図９ロのように、遊転ロール６３に巻付けられ、収縮した状態の落球捕獲シート５０ｂを、必要に応じて、ねじりコイルバネ６５の弾性力に逆らい、該落球捕獲シート５０ｂを引き伸ばし、フック片５２ｂを介して遊技扉１０と連結することにより、遊技扉１０と前枠６との間を遮蔽すれば、遊技盤８面から落下する遊技球を、該落球捕獲シート５０ｂで受け止めることができる。そして、広げた落球捕獲シート５０ｂは、ねじりコイルバネ６５の弾性力により、自動的に遊転ロール６３に巻取られ、収縮状態に復帰するため、落球捕獲シート５０ｂを巻取る操作が必要ない。また、本実施例では落球捕獲シート５０ｂが、柔軟性シートで構成されているため、遊技球が該落球捕獲シート５０ｂ上で、大きく跳ねて、該落球捕獲シート５０ｂの遮蔽領域外から遊技場床面へと落下してしまうのを防止できる。
【００３２】
なお、本実施形態においては、凹凸のない平坦な落球捕獲シート５０ｂを用いているが、該落球捕獲シート５０ｂの中央部を弛むようにしておけば、遊技扉と前枠間に張った状態で、中央に凹部が形成され、該凹部に落下した遊技球を纏めて貯留することができる。
【００３３】
図１２は、第三実施形態を示し、この実施形態は、前枠６と外枠２との間に、蛇腹状の落球捕獲シート５０ｃを設けると共に、外枠２下部に設けられた長尺状収納部材５１ｃ内に、折畳んだ落球捕獲シート５０ｃを一纏めにして収納可能としたものである。なお、落球捕獲シート５０ｃ、長尺状収納部材５１ｃ、フック片５２ｃの形状については、図６に示す、第一実施形態のものと同様であり、詳細な説明を省略する。
【００３４】
ここで、落球捕獲シート５０ｃの一側縁が固着される長尺状収納部材５１ｃは、外枠２の幕部１４の上端に固定されると共に、フック片５２ｃを、前枠６の背面下部に引掛けることにより、落球捕獲シート５０ｃを、前枠６下部に連結させるものである。
【００３５】
かかる構成では、前枠６を閉鎖する際に、落球捕獲シート５０ｂを前枠６にと連結したまま長尺状収納部材５１ｃに収容しておけば、前枠６を開放する時に、前枠６の開放作動に伴い落球捕獲シート５０ｃが広がり、前枠６と外枠２との間隙が下方で遮蔽されるため、開放時の振動等で球タンク２１から落下する遊技球が、該落球捕獲シート５０ｃで捕捉され、該遊技球が遊技場床面へ飛散するのを防止できる。
【００３６】
なお、本実施形態においては、一側縁を長尺状収納部材５１ｃに固定された蛇腹状の落球捕獲シート５０ｃを、前枠６と外枠２との間に配設したものであるが、第二実施形態における、巻取部材６１及び落球捕獲シート５０ｂを用いた構成も同様にして適用可能である。
【００３７】
【発明の効果】
本発明は、一側縁を遊技扉の下部に、他側縁を、連結端縁となる前枠の遊技開口の下縁に連結することにより、遊技扉の開放時に、遊技扉と前枠との間を下方で遮蔽する、遊技扉の開閉方向に伸縮可能な落球捕獲シートを備えたパチンコ遊技機である（請求項１）。かかる構成により、遊技盤面から跳び出した遊技球が、該落球捕獲シート上で捕捉されるため、該遊技球が遊技場の床面に落ちるのを防止できる。これにより、遊技盤面から弾き出された遊技球の回収作業を簡略化できると共に、該遊技球を遊技者に速やかに返却することが可能となる。
【００３８】
また、一側縁を前枠下部に、他側縁を、連結端縁となる外枠下部に連結することにより、前枠の開放時に、外枠と前枠との間を下方で遮蔽する、前枠の開閉方向に伸縮可能な落球捕獲シートを備えた構成においては（請求項２）、前枠を開放する際に、球タンクから落下する遊技球を、該落球捕獲シート上で捕捉可能となり、遊技場床面に落下する遊技球を低減することができる。
【００３９】
ここで、落球捕獲シートを、伸縮方向に折畳み可能な蛇腹状とすると共に、該落球捕獲シートが折畳み状態で収納可能な長尺状収納部材を、連結端縁に、幅方向へ差し渡して配設し、該落球捕獲シートの一側縁を長尺状収納部材内に固定するようにした場合には（請求項３）、落球捕獲シートが不必要な場合には、落球捕獲シートを折畳んで、一纏めにして長尺状収納部材内に収容しておくことができ、落球捕獲シートが他の作業の支障となることがなくなる。
【００４０】
一方、付勢手段により回転方向に付勢される遊転ロールを備えた巻取部材を、連結端縁に、幅方向へ差し渡して配設すると共に、該落球捕獲シートの一側縁を遊転ロールの外周面に固定した構成とすれば（請求項４）、落球捕獲シートが、引き伸ばされた状態から、遊転ロールに巻取られた状態へと自動的に復帰するため、作業をする係員は、遊技扉や、前枠を容易に閉鎖することができる。また、落球捕獲シートは、付勢手段により常時張力がかけられるため、必要以上に落球捕獲シートが弛むことも防止できる。
【００４１】
そして、落球捕獲シートの一側縁に、遊技扉の下枠、又は前枠下部と、脱着可能に係合するフック片を設けた場合には（請求項５）、作業内容に応じて、落球捕獲シートを、遊技扉や前枠に対して、容易に脱着することができるため、修理や点検作業等を効率的に行うことが可能となる。
【００４２】
さらに、落球捕獲シートを、遊技球の落下衝撃を吸収する、柔軟性シートで構成すれば（請求項６）、落球捕獲シート上に落下する遊技球を、確実に捕球することができ、遊技扉や前枠の開放中に、パチンコ遊技機から遊技場の床面に落下する遊技球を一層少なくできる。
【図面の簡単な説明】
【図１】前枠６開放時のパチンコ遊技機１の前方斜視図である。
【図２】遊技扉１０開放時のパチンコ遊技機１の前方斜視図である。
【図３】パチンコ遊技機１の正面図である。
【図４】パチンコ遊技機１の後方斜視図である。
【図５】遊技扉１０開放時における、第一実施形態のパチンコ遊技機１の斜視図である。
【図６】落球捕獲シート５０ａ、長尺状収納部材５１ａ、フック片５２ａの斜視図であり、（イ）はそれぞれを分離した状態を、（ロ）は長尺状収納部材５１ａ内に、落球捕獲シート５０ａを収容した状態を示す。
【図７】遊技扉１０開放時における、第一実施形態のパチンコ遊技機１の分離斜視図である。
【図８】遊技扉１０開放時における、第二実施形態のパチンコ遊技機１の斜視図である。
【図９】落球捕獲シート５０ｂ、巻取部材６１、フック片５２ｂの斜視図であり、（イ）はそれぞれを分離した状態を、（ロ）は巻取部材６１に、落球捕獲シート５０ｂを巻付けた状態を示す。
【図１０】巻取部材６１の横断面図である。
【図１１】遊技扉１０開放時における、第二実施形態のパチンコ遊技機１の分離斜視図である。
【図１２】前枠６開放時における、第三実施形態のパチンコ遊技機１の斜視図である。
【符号の説明】
２　外枠
６　前枠
１０　遊技扉
１１　上皿パネル
５０ａ，５０ｂ，５０ｃ　落球捕獲シート
５１ａ，５１ｃ　長尺状収納部材
５２ａ，５２ｂ，５２ｃ　フック片
６１　巻取部材
６３　遊転ロール
【図１】
2004135979.tif 000003
【図２】
2004135979.tif 000004
【図３】
2004135979.tif 000005
【図４】
2004135979.tif 000006
【図５】
2004135979.tif 000007
【図６】
2004135979.tif 000008
【図７】
2004135979.tif 000009
【図８】
2004135979.tif 000010
【図９】
2004135979.tif 000011
【図１０】
2004135979.tif 000012
【図１１】
2004135979.tif 000013
【図１２】
2004135979.tif 000014